(57)【要約】【課題】余計な手間を生じさせることなく、情報の表示制御が可能な制御プログラム、制御方法、表示制御装置および映像システムを提供する。【解決手段】画像を表示する映像表示装置を制御するコンピュータに実行させるための制御プログラムであって、制御プログラムは、予め設定された時間に、情報が表示された情報画像を映像表示装置に表示させる表示ステップを備える。【選択図】図１１
2007248862.tif 000002
【特許請求の範囲】
【請求項１】
画像を表示する映像表示装置を制御するコンピュータに実行させるための制御プログラムであって、
前記制御プログラムは、
予め設定された時間に、情報が表示された情報画像を前記映像表示装置に表示させる表示ステップを備える、制御プログラム。
【請求項２】
前記制御プログラムは、
前記映像表示装置が表示しているコンテンツの情報を取得する情報取得ステップをさらに備え、
前記表示ステップは、取得した前記コンテンツの情報に基づいて、前記コンテンツと共に、前記情報画像を前記映像表示装置に表示させるステップを含む、請求項１に記載の制御プログラム。
【請求項３】
前記設定された時間は、ユーザにより設定された時間である、請求項１に記載の制御プログラム。
【請求項４】
前記制御プログラムは、
前記表示ステップが前記情報画像を前記映像表示装置に表示させる場合、前記映像表示装置が表示しているコンテンツの音声を変化させる処理および前記映像表示装置が表示しているコンテンツの表示サイズを変化させる処理の少なくとも一方を行なう変化ステップをさらに備える、請求項１に記載の制御プログラム。
【請求項５】
複数の映像表示装置を制御するコンピュータに実行させるための制御プログラムであって、
前記複数の映像表示装置の各々は、画像を表示する機能を有し、
前記制御プログラムは、
各々が異なる複数の情報をそれぞれ表示する複数の情報画像を、それぞれ、前記複数の映像表示装置に表示させる表示ステップを備え、
前記表示ステップが、前記複数の映像表示装置の各々に、対応する情報画像を表示させる時間は、前記複数の映像表示装置の各々毎に設定された時間である、制御プログラム。
【請求項６】
画像を表示する映像表示装置を制御する表示制御装置に実行させるための制御方法であって、
前記制御方法は、
予め設定された時間に、情報が表示された情報画像を前記映像表示装置に表示させる表示ステップを備える、制御方法。
【請求項７】
画像を表示する映像表示装置を制御する表示制御装置であって、
前記表示制御装置は、
予め設定された時間に、情報が表示された情報画像を前記映像表示装置に表示させる表示制御手段を備える、表示制御装置。
【請求項８】
映像表示装置と、前記映像表示装置を制御する表示制御装置とから構成される映像システムであって、
前記表示制御装置は、
予め設定された時間に、情報が表示された情報画像を前記映像表示装置に表示させるための制御指示を、前記情報画像のデータと共に前記映像表示装置へ送信する送信手段を備え、
前記映像表示装置は、
画像を表示する表示手段と、
前記制御指示および前記情報画像のデータを受信する受信手段と、
前記制御指示に応じて、前記情報画像を、前記表示手段に表示させる表示制御手段とを備える、映像システム。
【発明の詳細な説明】
【技術分野】
【０００１】
本発明は、制御プログラム、制御方法、表示制御装置および映像システムに関し、特に、映像表示装置を制御する制御プログラム、制御方法、表示制御装置および映像システムに関する。
【背景技術】
【０００２】
近年、液晶テレビ、プラズマテレビ等の映像表示装置の大画面化、高解像度化、高機能化、低価格化が進みつつある。また、近年の映像表示装置は、ＰＣ（Personal Computer）のモニタと同等以上の解像度を有するため、ＰＣのモニタとしても使用可能となっている。そのため、映像表示装置に、ＰＣの映像と、テレビチューナから得られた映像を同時に表示させることが求められている。
【０００３】
特開平５−２０７３９４号公報（特許文献１）には、テレビジョン受像機（映像表示装置）に、ＰＣの映像と、テレビチューナから得られた映像を同時に表示させる技術が開示されている。
【特許文献１】特開平５−２０７３９４号公報
【発明の開示】
【発明が解決しようとする課題】
【０００４】
しかしながら、特開平５−２０７３９４号公報に開示されている技術では、ＰＣの映像と、テレビチューナから得られた映像を同時に表示させるには、ユーザの操作が必要であった。そのため、映像表示装置に、ＰＣから出力される情報を表示させるには、ユーザの操作が必要であるという問題がある。
【０００５】
本発明は、上述の問題点を解決するためになされたものであって、その目的は、余計な手間を生じさせることなく、情報の表示制御が可能な制御プログラム、制御方法、表示制御装置および映像システムを提供することである。
【０００６】
本発明の他の目的は、余計な手間を生じさせることなく、異なる複数の情報を報知可能な制御プログラムを提供することである。
【課題を解決するための手段】
【０００７】
上述の課題を解決するために、この発明のある局面に従うと、画像を表示する映像表示装置を制御するコンピュータに実行させるための制御プログラムであって、制御プログラムは、予め設定された時間に、情報が表示された情報画像を映像表示装置に表示させる表示ステップを備える。
【０００８】
好ましくは、制御プログラムは、映像表示装置が表示しているコンテンツの情報を取得する情報取得ステップをさらに備え、表示ステップは、取得したコンテンツの情報に基づいて、コンテンツと共に、情報画像を映像表示装置に表示させるステップを含む。
【０００９】
好ましくは、設定された時間は、ユーザにより設定された時間である。
好ましくは、制御プログラムは、表示ステップが情報画像を映像表示装置に表示させる場合、映像表示装置が表示しているコンテンツの音声を変化させる処理および映像表示装置が表示しているコンテンツの表示サイズを変化させる処理の少なくとも一方を行なう変化ステップをさらに備える。
【００１０】
この発明の他の局面に従うと、複数の映像表示装置を制御するコンピュータに実行させるための制御プログラムであって、複数の映像表示装置の各々は、画像を表示する機能を有し、制御プログラムは、各々が異なる複数の情報をそれぞれ表示する複数の情報画像を、それぞれ、複数の映像表示装置に表示させる表示ステップを備え、表示ステップが、複数の映像表示装置の各々に、対応する情報画像を表示させる時間は、複数の映像表示装置の各々毎に設定された時間である。
【００１１】
この発明のさらに他の局面に従うと、画像を表示する映像表示装置を制御する表示制御装置に実行させるための制御方法であって、制御方法は、予め設定された時間に、情報が表示された情報画像を映像表示装置に表示させる表示ステップを備える。
【００１２】
この発明のさらに他の局面に従うと、画像を表示する映像表示装置を制御する表示制御装置であって、表示制御装置は、予め設定された時間に、情報が表示された情報画像を映像表示装置に表示させる表示制御手段を備える。
【００１３】
この発明のさらに他の局面に従うと、映像表示装置と、映像表示装置を制御する表示制御装置とから構成される映像システムであって、表示制御装置は、予め設定された時間に、情報が表示された情報画像を映像表示装置に表示させるための制御指示を、情報画像のデータと共に映像表示装置へ送信する送信手段を備え、映像表示装置は、画像を表示する表示手段と、制御指示および情報画像のデータを受信する受信手段と、制御指示に応じて、情報画像を、表示手段に表示させる表示制御手段とを備える。
【発明の効果】
【００１４】
本発明に係る制御プログラムは、予め設定された時間に、情報が表示された情報画像を映像表示装置に表示させる。
【００１５】
したがって、余計な手間を生じさせることなく、情報の表示制御をすることができるという効果を奏する。
【００１６】
本発明に係る制御プログラムは、各々が異なる複数の情報をそれぞれ表示する複数の情報画像を、それぞれ、複数の映像表示装置に表示させる。複数の映像表示装置の各々に、対応する情報画像を表示させる時間は、複数の映像表示装置の各々毎に設定された時間である。
【００１７】
したがって、余計な手間を生じさせることなく、異なる複数の情報を報知することができるという効果を奏する。
【００１８】
本発明に係る制御方法は、予め設定された時間に、情報が表示された情報画像を映像表示装置に表示させる。
【００１９】
したがって、余計な手間を生じさせることなく、情報の表示制御をすることができるという効果を奏する。
【００２０】
本発明に係る表示制御装置は、予め設定された時間に、情報が表示された情報画像を映像表示装置に表示させる。
【００２１】
したがって、余計な手間を生じさせることなく、情報の表示制御をすることができるという効果を奏する。
【００２２】
本発明に係る映像システムは、映像表示装置と、映像表示装置を制御する表示制御装置とから構成される。表示制御装置は、予め設定された時間に、情報が表示された情報画像を映像表示装置に表示させるための制御指示を、情報画像のデータと共に映像表示装置へ送信する。映像表示装置は、制御指示および情報画像のデータを受信し、制御指示に応じて、情報画像を、表示手段に表示させる。
【００２３】
したがって、余計な手間を生じさせることなく、情報の表示制御をすることができるという効果を奏する。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
＜第１の実施の形態＞
図１は、本実施の形態における映像システム１０００の構成を示すブロック図である。図１を参照して、映像システム１０００は、表示制御装置１００と、映像表示装置２００とから構成される。なお、図１には、説明のために記録媒体７０、外部機器３００も示している。記録媒体７０には、後述するプログラム７２が記録されている。すなわち、プログラム７２は、媒体等に記録されてプログラム製品として流通される。また、記録媒体７０もプログラム製品として流通される。
【００２６】
表示制御装置１００は、一例として、ＰＣであるとする。映像表示装置２００は、一例として、液晶テレビであるとする。なお、表示制御装置１００は、ＰＣに限定されることなく、映像表示装置２００を制御する機能および映像表示装置２００に表示される画像の状態を変更する機能を備えた装置であればどのような装置であってもよい。表示制御装置１００は、たとえば、ＳＴＢ（Set Top Box）であってもよい。
【００２７】
また、映像表示装置２００は、液晶テレビに限定されることなく、表示制御装置１００の制御に応じて動作する機能および表示制御装置１００の制御により表示する画像の状態を変更する機能を有する映像表示装置であればどのような装置であってもよい。映像表示装置は、たとえば、プラズマテレビであってもよい。
【００２８】
表示制御装置１００には、表示部１８０と、文字入力部１７２と、ポインティングデバイス１７４とが接続される。
【００２９】
表示部１８０は、ユーザに各種情報を参照可能とするために、文字や画像等を表示する機能を有する。表示部１８０は、表示制御装置１００から出力された画像データに基づいた画像を表示する。表示部１８０は、液晶ディスプレイ（ＬＣＤ（Liquid Crystal Display））、ＣＲＴ（Cathode Ray Tube）、ＦＥＤ（Field Emission Display）、有機ＥＬディスプレイ（Organic Electro luminescence Display）、ドットマトリクス等その他の画像表示方式の表示機器のいずれであってもよい。なお、表示制御装置１００は、表示部１８０と接続されていなくてもよい。また、表示部１８０は、表示制御装置１００の内部に設けられてもよい。
【００３０】
文字入力部１７２およびポインティングデバイス１７４は、ユーザが表示制御装置１００を操作するためのインターフェースである。文字入力部１７２は、ユーザの操作により文字を入力可能なインターフェースである。文字入力部１７２は、一例として、キーボードである。ポインティングデバイス１７４は、一例として、マウスである。なお、文字入力部１７２は、表示制御装置１００の内部に設けられてもよい。また、ポインティングデバイス１７４は、たとえば、タッチパッド等として、表示制御装置１００の内部に設けられてもよい。また、表示制御装置１００には、ペンタブレットが入力機器として接続されていてもよい。以下においては、ユーザによる、文字入力部１７２またはポインティングデバイス１７４の操作を、インターフェース操作Ｐともいう。
【００３１】
表示制御装置１００は、通信部１１０と、制御部１２０と、ビデオインターフェース１３０と、音声インターフェース１３５と、一時記憶部１４０と、記憶部１４２と、記録媒体アクセス部１５０と、制御インターフェース１９０と、入力部１７０とを備える。
【００３２】
記憶部１４２には、制御部１２０に後述する処理を行なわせるためのプログラム７２、設定情報、その他各種データ等が記憶されている。プログラム７２は、後述する、表示設定プログラムおよびインフォメーションプログラムを含む。
【００３３】
記憶部１４２は、制御部１２０によってデータアクセスされる。記憶部１４２は、大容量のデータを記憶可能なハードディスクである。なお、記憶部１４２は、ハードディスクに限定されることなく、電源を供給されなくてもデータを不揮発的に保持可能なメモリであればよい。記憶部１４２は、たとえば、フラッシュメモリ、ＥＥＰＲＯＭ（Erasable Programmable ROM）のいずれであってもよい。
【００３４】
制御部１２０は、記憶部１４２に記憶されたプログラム７２に従って、表示制御装置１００内の各部に対する各種処理や、演算処理等を行なう機能を有する。制御部１２０は、マイクロプロセッサ（Microprocessor）、プログラミングすることができるＬＳＩ（Large Scale Integration）であるＦＰＧＡ（Field Programmable Gate Array）、特定の用途のために設計、製造される集積回路であるＡＳＩＣ（Application Specific Integrated Circuit）、その他の演算機能を有する回路のいずれであってもよい。
【００３５】
また、制御部１２０は、表示部１８０に、画像データを送信することで画像を表示させる。
【００３６】
一時記憶部１４０は、制御部１２０によってデータアクセスされ、一時的にデータを記憶するワークメモリとして使用される。一時記憶部１４０は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００３７】
入力部１７０には、文字入力部１７２と、ポインティングデバイス１７４とが接続されている。ユーザは、文字入力部１７２またはポインティングデバイス１７４を利用して、表示制御装置１００に指示を与える。文字入力部１７２またはポインティングデバイス１７４からの入力指示は、入力部１７０を介して制御部１２０へ送信される。制御部１２０は、入力部１７０からの入力指示に基づいて所定の処理を行なう。
【００３８】
記録媒体アクセス部１５０は、制御部１２０の制御指示に応じて、記録媒体７０にデータアクセスする機能を有する。また、記録媒体アクセス部１５０は、制御部１２０の制御指示に応じて、プログラム７２が記録された記録媒体７０から、プログラム７２を読出す。記録媒体７０に記憶されているプログラム７２は、制御部１２０の動作（インストール処理）により、記録媒体アクセス部１５０により読み出され、制御部１２０が、記憶部１４２に記憶させる。
【００３９】
このインストール処理用プログラムは、予め、記憶部１４２に格納されており、インストール処理は、制御部１２０が、インストール処理用プログラムに基づいて行なう。
【００４０】
なお、記憶部１４２には、プログラム７２がインストールされていなくてもよい。この場合、制御部１２０は、記録媒体アクセス部１５０を介して、記録媒体７０に記憶されたプログラム７２を読み出して、プログラム７２に基づいた所定の処理を行なう。
【００４１】
記録媒体７０は、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、磁気テープおよび上記以外の不揮発性メモリのいずれであってもよい。
【００４２】
通信部１１０は、制御部１２０と、データの送受信を行なう。通信部１１０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。
【００４３】
また、通信部１１０は、さらに、イーサネット（登録商標）を利用した通信用インターフェースの機能を有する。したがって、通信部１１０は、たとえば、ＬＡＮケーブルを介して、ネットワーク５０とデータ通信を行なうことができる。ネットワーク５０とのデータ通信により、制御部１２０は、管理している時刻を補正したり、ネットワーク５０からＥＰＧ（Electronic Program Guide）情報を取得したりする。
【００４４】
ネットワーク５０は、インターネットなどの外部のネットワークである。
なお、表示制御装置１００は、ネットワーク５０から、通信部１１０を介して、プログラムのダウンロード処理を行ない、記憶部１４２に格納することもできる。この場合、当該ダウンロードしたプログラムは、プログラム７２である。
【００４５】
制御部１２０は、ネットワーク５０からダウンロードしたプログラム（プログラム７２）に従って、所定の処理を行なう。このダウンロード用プログラムは、予め、記憶部１４２に格納されており、ダウンロード処理は、制御部１２０が、ダウンロード用プログラムに基づいて行なう。
【００４６】
ビデオインターフェース１３０は、制御部１２０が生成した画像データをアナログ形式またはデジタル形式で出力するためのインターフェースである。ビデオインターフェース１３０は、表示制御装置１００を外部の機器と映像ケーブル１３２で接続するための映像接続端子を含む。映像接続端子は、ＤＶＩ（Digital Visual Interface）端子またはアナログＲＧＢ端子である。なお、映像接続端子は、ＨＤＭＩ（High-Definition Multimedia Interface）、コンポジット映像端子等の接続端子であってもよい。ビデオインターフェース１３０には、映像ケーブル１３２が接続されている。
【００４７】
音声インターフェース１３５は、制御部１２０が生成した音声データをアナログ形式またはデジタル形式で出力するためのインターフェースである。音声インターフェース１３５は、映像信号生成装置１００を外部の機器と音声ケーブル１３７で接続するための端子を含む。音声インターフェース１３５には、音声ケーブル１３７が接続されている。
【００４８】
制御インターフェース１９０は、制御部１２０とデータの送受信を行なう。また、制御インターフェース１９０は、映像表示装置２００と有線または無線で、データの送受信を行なう。また、制御インターフェース１９０は、制御部１２０から出力された制御データを、映像表示装置２００へ送信することで、映像表示装置２００を制御するためのインターフェースである。
【００４９】
制御インターフェース１９０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ（Universal Serial Bus）１．１またはＵＳＢ２．０に限定されることなく他の規格、たとえば、ＲＳ−２３２Ｃの規格であってもよい。
【００５０】
なお、制御インターフェース１９０は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００５１】
また、制御インターフェース１９０は、さらに、無線データ通信機能を有する。無線データ通信機能は、ブルートゥース（Bluetooth）を使用して、無線でデータ通信を行なう機能を有する。なお、無線データ通信は、ブルートゥースを使用した方式に限定されることなく、たとえば、赤外線等を使用した他の通信方式であってもよい。制御インターフェース１９０は、制御部１２０からの制御指示に応じて、映像表示装置２００と無線でデータ通信を行なう。
【００５２】
映像表示装置２００は、チューナ２１０と、制御部２２０と、映像入力部２３０と、音声入力部２３５と、一時記憶部２４０と、記憶部２４２と、ＲＯＭ２４４と、映像入力部２５０と、音声入力部２５５と、リモコン信号受信部２６０と、表示部２８０と、音声出力部２７０と、制御インターフェース２９０とを備える。
【００５３】
チューナ２１０は、図示しないアンテナに接続されたケーブルからテレビジョン信号を受信する機能を有する。チューナ２１０は、受信したテレビジョン信号に含まれる、制御部２２０からの指示に応じたチャンネルの映像信号および音声信号を、制御部２２０へ送信する。なお、以下においては、制御部２２０が、チューナ２１０から受信した映像信号に基づく画像をＴＶ画像とも称する。
【００５４】
制御部２２０は、ＴＶ画像を表示部２８０に表示させる処理を行なう。
本実施の形態では、チューナ２１０は、受信したテレビジョン信号から、一例として、１２個のチャンネルの映像信号を取得することが可能であるとする。なお、チューナ２１０が取得可能なチャンネルの数は、１２個に限定されることなく、１１個以下または１３個以上であってもよい。
【００５５】
映像入力部２３０は、ビデオインターフェース１３０と、映像ケーブル１３２により接続され、表示制御装置１００内のビデオインターフェース１３０から出力される映像信号を受信する。映像入力部２３０は、受信した映像信号を、制御部２２０へ送信する。なお、以下においては、映像入力部２３０が、ビデオインターフェース１３０から受信した映像信号に基づく画像をＰＣ画像とも称する。
【００５６】
音声入力部２３５は、音声インターフェース１３５と、音声ケーブル１３７により接続され、表示制御装置１００内の音声インターフェース１３５から出力される音声信号を受信する。音声入力部２３５は、受信した音声信号を、制御部２２０へ送信する。
【００５７】
ＲＯＭ２４４は、制御部２２０に後述する処理を行なわせるためのプログラム、その他各種プログラムおよび各種パラメータ（初期値データ等）が記憶されている。ＲＯＭ２４４は、制御部２２０によってデータアクセスされる。ＲＯＭ２４４は、データを書き換えない部分は、ＥＥＰＲＯＭで構成され、設定データ等を書き込む部分はフラッシュメモリなどで構成される。
【００５８】
記憶部２４２は、各種プログラムおよびデータ等が記憶されている。記憶部２４２は、制御部２２０によってデータアクセスされる。記憶部２４２は、前述の記憶部１４２と同様なものなので詳細な説明は繰り返さない。
【００５９】
制御部２２０は、ＲＯＭ２４４に記憶されたプログラムに従って、後述する処理、映像表示装置２００内の各部に対する各種処理、演算処理、画像処理等を行なう機能を有する。制御部２２０は、制御部１２０と同様なものである。
【００６０】
また、制御部２２０は、受信した映像信号に基づく画像を、プログラムまたは設定データ等にしたがって、拡大または縮小する処理を行なう機能を有する。また、制御部２２０は、受信した映像信号に基づく画像のフレームレートを変更する機能を有する。
【００６１】
一時記憶部２４０は、制御部２２０によってデータアクセスされ、一時的にデータを記憶するワークメモリまたはフレームバッファとして使用される。一時記憶部２４０は、ＳＲＡＭ（Static Random Access Memory）、ＤＲＡＭ（Dynamic Random Access Memory）、ＳＤＲＡＭ（Synchronous DRAM）、ダブルデータレートモードという高速なデータ転送機能を持ったＳＤＲＡＭであるＤＤＲ−ＳＤＲＡＭ（Double Data Rate SDRAM）、その他、データを揮発的に記憶保持可能な構成を有する回路のいずれであってもよい。
【００６２】
リモコン信号受信部２６０は、図示しないリモコン（リモートコントローラー）から出力される、映像表示装置２００を操作するためのリモコン信号を受信する機能を有する。リモコン信号受信部２６０は、受信したリモコン信号を制御部２２０へ送信する。
【００６３】
表示部２８０は、映像を表示する機能を有する。表示部２８０は、たとえば、液晶パネル、ＰＤＰ（Plasma Display Panel）パネルまたはブラウン管等で構成される。表示部２８０の解像度は、横６４０（ドット）×縦４８０（ドット）以上であり、ＰＣの画像が表示できる横１３６６（ドット）×縦７６８（ドット）の解像度を持つものとする。なお、表示部２８０の解像度は、横１３６６（ドット）×縦７６８（ドット）に限定されることなく、他の解像度（たとえば、１０２４×７６８）であってもよい。表示部２８０の映像を表示する部分のアスペクト比は１６：９である。なお、アスペクト比は１６：９に限定されることなく、４：３であってもよい。
【００６４】
音声出力部２７０は、制御部２２０からの信号に基づいて音声を出力する。音声出力部２７０は、一例として、スピーカである。
【００６５】
なお、映像表示装置２００は、表示部２８０を備えなくてもよい。したがって、映像表示装置２００は、ＳＴＢ等の機器であってもよい。この場合、映像表示装置２００は、外部の表示装置（たとえば、ＰＤＰ）に映像信号を出力する。
【００６６】
映像入力部２５０は、映像表示装置２００を外部機器３００と映像ケーブルで接続するための映像接続端子を含む。映像接続端子は、たとえば、Ｄ端子、ＨＤＭＩ、コンポジット映像端子等の接続端子である。なお、映像接続端子は、ＤＶＩ端子またはアナログＲＧＢ端子であってもよい。映像入力部２５０は、外部機器３００と映像ケーブルを介して接続されている。映像入力部２５０は、外部機器３００から出力される映像信号を受信する。なお、以下においては、制御部２２０が、映像入力部２５０から受信した映像信号に基づく画像もＴＶ画像と称する。
【００６７】
なお、映像入力部２５０は、表示制御装置１００から出力される映像信号を受信してもよい。すなわち、映像入力部２５０は、映像ケーブルを介して、ビデオインターフェース１３０と接続されていてもよい。
【００６８】
外部機器３００は、たとえば、ＶＴＲ（Video Tape Recorder）、ハードディスクレコーダー、ＤＶＤレコーダー、ＤＶＤプレイヤー等の映像信号を出力する機能を有する機器である。なお、外部機器３００は、映像信号と同時に、対応する音声信号も出力する。
【００６９】
音声入力部２５５は、外部機器３００から出力される音声信号を受信する。なお、音声入力部２５５は、表示制御装置１００から出力される音声信号を受信してもよい。すなわち、音声入力部２５５は、音声ケーブルを介して、音声インターフェース１３５と接続されていてもよい。
【００７０】
制御インターフェース２９０は、制御部２２０とデータの送受信を行なう。また、制御インターフェース２９０は、表示制御装置１００と有線または無線で、データの送受信を行なう。制御インターフェース２９０は、制御インターフェース１９０と同様なインターフェースなので詳細な説明は繰り返さない。
【００７１】
制御インターフェース２９０は、表示制御装置１００内の制御部１２０が出力する制御データを、制御インターフェース１９０を介して受信し、制御部２２０へ出力する。制御部２２０は、受信した制御データに基づいて、各種処理を行なう。各種処理の一例としては、制御部２２０が、受信した制御データに基づいて、映像表示装置２００内の状態を知らせるための情報を、制御インターフェース２９０および制御インターフェース１９０を介して、制御部１２０へ出力する処理である。各種処理の他の例は、制御部２２０が、受信した制御データに基づいて、表示部２８０に表示される画像の状態を変更する処理である。
【００７２】
なお、映像表示装置２００は、待機モードを有する。待機モードとは、表示部２８０に画像を表示させるための電源がオフであるために、表示部２８０が画像を表示できない状態であって、主電源がオフでない状態である。以下においては、表示部２８０に画像を表示させるための電源を画像表示電源ともいう。したがって、映像表示装置２００が待機モードの場合、リモコン等の操作により、画像表示電源をオンにすることにより、表示部２８０に画像を表示させることができる。なお、以下においては、画像表示電源がオンの状態の映像表示装置２００を通常モードともいう。
【００７３】
図２は、本実施の形態における表示部２８０に表示される画像を説明するための図である。図２を参照して、表示部２８０に表示される画像のサイズは、横（ｘ方向）１３６６（ドット）、縦（ｙ方向）７６８（ドット）のサイズの画像である。以下においては、画像内の左上の座標を（０，０）とし、右下の座標を（１３６５，７６７）とする。
【００７４】
図３は、本実施の形態における表示部２８０に表示される画像の一例を示す図である。図３（Ａ）は、表示部２８０に表示される画像Ｇ１００Ａを示す図である。画像Ｇ１００Ａは、横１３６６（ドット）、縦７６８（ドット）のサイズの画像である。画像Ｇ１００Ａには、ＰＣ画像を表示する領域Ｒ１１０Ａと、ＴＶ画像を表示する領域Ｒ１２０Ａとが含まれる。画像Ｇ１００Ａは、ＰＣ画像内に、ＴＶ画像を配置した画像である。なお、ＴＶ画像が表示される領域は、複数あってもよい。以下においては、表示部２８０に画像Ｇ１００Ａのような状態の画像を表示する映像表示装置２００の画像表示モードを、ＴＶインＰＣモードとも称する。
【００７５】
図３（Ｂ）は、表示部２８０に表示される画像Ｇ１００Ｂを示す図である。画像Ｇ１００Ｂは、画像Ｇ１００Ａと同じサイズの画像である。画像Ｇ１００Ｂには、ＴＶ画像を表示する領域Ｒ１１０Ｂと、ＰＣ画像を表示する領域Ｒ１２０Ｂとが含まれる。画像Ｇ１００Ｂは、ＴＶ画像内に、ＰＣ画像を配置した画像である。なお、ＰＣ画像が表示される領域は、複数あってもよい。以下においては、表示部２８０に画像Ｇ１００Ｂのような状態の画像を表示する映像表示装置２００の画像表示モードを、ＰＣインＴＶモードとも称する。
【００７６】
図３（Ｃ）は、表示部２８０に表示される画像Ｇ１００Ｃを示す図である。画像Ｇ１００Ｃは、画像Ｇ１００Ａと同じサイズの画像である。画像Ｇ１００Ｃには、ＴＶ画像を表示する領域Ｒ１１０Ｃと、ＰＣ画像を表示する領域Ｒ１２０Ｃとが含まれる。画像Ｇ１００Ｃは、ＴＶ画像と、ＰＣ画像とが重ならないように、ＴＶ画像およびＰＣ画像を配置した画像である。なお、ＰＣ画像およびＴＶ画像の各々が表示される領域は、複数あってもよい。以下においては、表示部２８０に画像Ｇ１００Ｃのような状態の画像を表示する映像表示装置２００の画像表示モードを、ＴＶバイＰＣモードとも称する。
【００７７】
なお、以下においては、表示部２８０にＴＶ画像およびＰＣ画像が表示されている状態を２画面表示状態という。また、表示部２８０にＴＶ画像およびＰＣ画像のいずれか一方が表示されている状態を１画面表示状態という。
【００７８】
図４は、本実施の形態における表示部２８０に表示される画像の一例を示す図である。図４（Ａ）は、映像表示装置２００の画像表示モードが、ＰＣインＴＶモードである場合に表示部２８０に表示される、一例としての画像Ｇ２００Ａを示す図である。画像Ｇ２００Ａは、ＴＶ画像を表示する領域Ｒ２１０Ａと、ＰＣ画像を表示する領域Ｒ２２０Ａとが含まれる。画像Ｇ２００Ａは、ＴＶ画像内に、ＰＣ画像を配置した画像である。
【００７９】
図４（Ｂ）は、映像表示装置２００の画像表示モードが、ＴＶバイＰＣモードである場合に表示部２８０に表示される、一例としての画像Ｇ２００Ｂを示す図である。画像Ｇ２００Ｂは、ＴＶ画像を表示する領域Ｒ２１０Ｂと、ＰＣ画像を表示する領域Ｒ２２０Ｂとが含まれる。なお、領域Ｒ２２０Ｂのサイズおよび領域Ｒ２２０Ｂが配置される座標は、それぞれ、領域Ｒ２２０Ａのサイズおよび領域Ｒ２２０Ａが配置される座標と同じである。
【００８０】
なお、領域Ｒ２１０Ｂに表示されるＴＶ画像は、縦と横との比率を変えないで、横１３６６（ドット）、縦７６８（ドット）のサイズのＴＶ画像を縮小した画像である。画像Ｇ２００Ｂは、ＴＶ画像と、ＰＣ画像とが重ならないように、ＴＶ画像およびＰＣ画像を配置した画像である。
【００８１】
図５は、本実施の形態における表示部２８０に表示される画像の一例を示す図である。図５（Ａ）は、映像表示装置２００の画像表示モードが、ＰＣインＴＶモードである場合に表示部２８０に表示される、一例としての画像Ｇ２００Ｃを示す図である。画像Ｇ２００Ｃは、ＴＶ画像を表示する領域Ｒ２１０Ｃと、ＰＣ画像を表示する領域Ｒ２２０Ｃ，Ｒ２２２Ｃとが含まれる。なお、領域Ｒ２２２Ｃのサイズおよび領域Ｒ２２２Ｃが配置される座標は、それぞれ、領域Ｒ２２０Ａのサイズおよび領域Ｒ２２０Ａが配置される座標と同じである。画像Ｇ２００Ｃは、ＴＶ画像内に、複数のＰＣ画像を配置した画像である。
【００８２】
図５（Ｂ）は、映像表示装置２００の画像表示モードが、ＴＶバイＰＣモードである場合に表示部２８０に表示される、一例としての画像Ｇ２００Ｄを示す図である。画像Ｇ２００Ｄは、ＴＶ画像を表示する領域Ｒ２１０Ｄと、ＰＣ画像を表示する領域Ｒ２２０Ｄ，Ｒ２２２Ｄとが含まれる。なお、領域Ｒ２２０Ｄのサイズおよび領域Ｒ２２０Ｄが配置される座標は、それぞれ、領域Ｒ２２２Ｃのサイズおよび領域Ｒ２２２Ｃが配置される座標と同じである。また、領域Ｒ２２２Ｄのサイズおよび領域Ｒ２２２Ｄが配置される座標は、それぞれ、領域Ｒ２２０Ａのサイズおよび領域Ｒ２２０Ａが配置される座標と同じである。
【００８３】
なお、領域Ｒ２１０Ｄに表示されるＴＶ画像は、縦と横との比率を変えないで、横１３６６（ドット）、縦７６８（ドット）のサイズのＴＶ画像を縮小した画像である。画像Ｇ２００Ｄは、ＴＶ画像と、複数のＰＣ画像とが重ならないように、ＴＶ画像およびＰＣ画像を配置した画像である。
【００８４】
なお、画像Ｇ２００Ａ、画像Ｇ２００Ｂ、画像Ｇ２００Ｃ、画像Ｇ２００Ｄのサイズは同じであるとする。
【００８５】
図６は、制御部１２０により生成されるＰＣ生成画像の一例を示す図である。制御部１２０により生成されるＰＣ生成画像には、メッセージ画像およびイメージ画像の少なくとも一方が配置される。メッセージ画像は、メッセージを表示するための画像である。当該メッセージは、たとえば、ユーザに報知するためのメッセージである。イメージ画像は、静止画像または動画像である。イメージ画像は、一例として、文字列が表示された静止画像である。イメージ画像は、一例として、文字列がスクロール表示される動画像である。イメージ画像は、一例として、製品の販売促進を行なうための動画像である。
【００８６】
図６（Ａ）は、ＰＣ生成画像ＰＧ２００Ａを示す図である。ＰＣ生成画像ＰＧ２００Ａは、図４（Ａ）の画像Ｇ２００Ａと同じサイズの画像である。なお、ＰＣ生成画像ＰＧ２００Ａは、画像Ｇ２００Ａと異なるサイズの画像であってもよい。ＰＣ生成画像ＰＧ２００Ａには、メッセージ画像ＰＧ２２０Ａが配置される。メッセージ画像ＰＧ２２０Ａは、画像Ｇ２００Ａ内の領域Ｒ２２０Ａ内に表示される画像である。ＰＣ生成画像ＰＧ２００Ａ内の斜線部分は、透明色が設定される部分である。本実施の形態では、透明色には、たとえば、黒が設定されているものとする。
【００８７】
また、メッセージ画像ＰＧ２２０Ａは、図４（Ｂ）の画像Ｇ２００Ｂ内の領域Ｒ２２０Ｂ内、図５（Ａ）の画像Ｇ２００Ｃ内の領域Ｒ２２２Ｃ内、および、図５（Ｂ）の画像Ｇ２００Ｄ内の領域Ｒ２２２Ｄ内に表示される画像である。
【００８８】
図６（Ｂ）は、ＰＣ生成画像ＰＧ２００Ｂを示す図である。ＰＣ生成画像ＰＧ２００Ｂは、図４（Ａ）の画像Ｇ２００Ａと同じサイズの画像である。なお、ＰＣ生成画像ＰＧ２００Ｂは、画像Ｇ２００Ａと異なるサイズの画像であってもよい。ＰＣ生成画像ＰＧ２００Ｂは、ＰＣ生成画像ＰＧ２００Ａと比較して、イメージ画像ＰＧ２２０Ｂがさらに配置される点が異なる。それ以外は、ＰＣ生成画像ＰＧ２００Ａと同様なので詳細な説明は繰り返さない。
【００８９】
イメージ画像ＰＧ２２０Ｂは、図５（Ａ）の画像Ｇ２００Ｃ内の領域Ｒ２２０Ｃ内に表示される画像である。ＰＣ生成画像ＰＧ２００Ｂ内の斜線部分は、透明色が設定される部分である。本実施の形態では、透明色には、たとえば、黒が設定されているものとする。
【００９０】
また、イメージ画像ＰＧ２２０Ｂは、図５（Ｂ）の画像Ｇ２００Ｄ内の領域Ｒ２２０Ｄ内に表示される画像である。
【００９１】
次に、指定の日時または指定の期間に、インフォメーション合成画像を表示部２８０に表示させるための設定処理（以下、表示設定処理ともいう）について説明する。ここで、インフォメーション合成画像とは、情報としてのメッセージが表示されたＰＣ画像とＴＶ画像とが所定のレイアウトで配置された画像である。表示設定処理は、表示制御装置１００で行なわれる。なお、以下においては、表示設定処理により設定されるデータを、表示設定データともいう。
【００９２】
プログラム７２に含まれる表示設定プログラムを実行させるためのインターフェース操作Ｐがあると、制御部１２０は、プログラム７２に含まれる表示設定プログラムを実行する。これにより、表示設定処理が行なわれる。
【００９３】
表示設定処理では、制御部１２０が、以下の詳細設定画像ＳＧ１００を、表示部１８０に表示させる。そして、以下に説明する各種設定が行なわれる。なお、詳細設定画像ＳＧ１００は、映像表示装置２００内の表示部２８０に表示されてもよい。
【００９４】
図７は、一例としての詳細設定画像ＳＧ１００を示す図である。図７を参照して、詳細設定画像ＳＧ１００には、データ番号表示画像ＳＧ１１０と、モニタ番号設定画像ＳＧ１２０とが配置される。
【００９５】
データ番号表示画像ＳＧ１１０には、表示設定データを管理するためのデータ番号が表示される。モニタ番号設定画像ＳＧ１２０は、表示制御装置１００に複数の映像表示装置が接続されている場合に、複数の映像表示装置を特定するためのモニタ番号を設定するための画像である。表示制御装置１００に、１台の映像表示装置が接続され場合、モニタ番号の変更はできず、モニタ番号は“１”に設定される。表示制御装置１００に複数の映像表示装置が接続されている場合、インターフェース操作Ｐにより、モニタ番号を変更することが可能である。
【００９６】
なお、表示制御装置１００に複数の映像表示装置が接続されている場合、モニタ番号は、複数の映像表示装置をグループ化した映像表示装置群を特定するためのモニタ番号であってもよい。また、表示制御装置１００に複数の映像表示装置が接続されている場合、複数の映像表示装置を特定するためのモニタ番号は、たとえば、「ＡＬＬ」とする。
【００９７】
詳細設定画像ＳＧ１００には、さらに、日付設定画像ＳＧ１３０と、時間設定画像ＳＧ１３２とが配置される。
【００９８】
日付設定画像ＳＧ１３０は、インフォメーション合成画像を表示部２８０に表示させる日付を設定するための画像である。日付の設定は、たとえば、インターフェース操作Ｐにより、カレンダーを表示したウインドウ画像を表示部１８０に表示させて、日付が選択されることにより行なわれる。設定される日付は、特定の日付、毎日または毎週の特定の曜日等のいずれであってもよい。
【００９９】
時間設定画像ＳＧ１３２は、インフォメーション合成画像を表示部２８０に表示させる時間を設定するための画像である。当該時間の設定は、たとえば、インターフェース操作Ｐにより、複数の時間が表示されたウインドウ画像を表示部１８０に表示させ、開始時刻と、終了時刻とが選択されることにより行なわれる。なお、終了時刻は、設定されなくてもよい。この場合、インフォメーション合成画像を表示部２８０に表示させないようにするためのインターフェース操作Ｐがあるまで、インフォメーション合成画像は、表示部２８０に表示され続ける。
【０１００】
詳細設定画像ＳＧ１００には、さらに、レイアウト番号設定画像ＳＧ１４０と、レイアウト状態表示画像ＳＧ１５０とが配置される。
【０１０１】
レイアウト番号設定画像ＳＧ１４０は、ＰＣ画像とＴＶ画像との配置状態を特定するためのレイアウト番号を設定するための画像である。レイアウト番号“１”は、一例として、ＰＣ画像とＴＶ画像との配置状態が、図４（Ａ）の画像Ｇ２００Ａに示される状態であることを示す。レイアウト番号“２”は、一例として、ＰＣ画像とＴＶ画像との配置状態が、図４（Ｂ）の画像Ｇ２００Ｂに示される状態であることを示す。レイアウト番号“３”は、一例として、ＰＣ画像とＴＶ画像との配置状態が、図５（Ａ）の画像Ｇ２００Ｃに示される状態であることを示す。レイアウト番号“４”は、一例として、ＰＣ画像とＴＶ画像との配置状態が、図５（Ｂ）の画像Ｇ２００Ｄに示される状態であることを示す。
【０１０２】
レイアウト番号の設定は、インターフェース操作Ｐにより行なわれる。なお、レイアウト番号が特定する、ＰＣ画像とＴＶ画像との配置状態の情報は、レイアウトデータとして、記憶部１４２に記憶される。レイアウト番号“１”に対応するレイアウトデータには、図４（Ａ）の画像Ｇ２００Ａにおける、領域Ｒ２２０Ａのサイズの情報、領域Ｒ２２０Ａの座標の情報、領域Ｒ２１０Ａ，Ｒ２２０Ａの各々に表示する画像の情報、および、使用されるＰＣ生成画像（ＰＣ生成画像ＰＧ２００Ａ）の情報等が含まれる。レイアウト番号“２”に対応するレイアウトデータには、図４（Ｂ）の画像Ｇ２００Ｂにおける、領域Ｒ２１０Ｂ，Ｒ２２０Ｂの各々のサイズの情報、領域Ｒ２１０Ｂ，Ｒ２２０Ｂの各々の座標の情報、領域Ｒ２１０Ｂ，Ｒ２２０Ｂの各々に表示する画像の情報、および、使用されるＰＣ生成画像（ＰＣ生成画像ＰＧ２００Ａ）の情報等が含まれる。
【０１０３】
レイアウト番号“３”に対応するレイアウトデータには、図５（Ａ）の画像Ｇ２００Ｃにおける、領域Ｒ２２０Ｃ，Ｒ２２２Ｃの各々のサイズの情報、領域Ｒ２２０Ｃ，Ｒ２２２Ｃの各々の座標の情報、領域Ｒ２１０Ｃ，Ｒ２２０Ｃ，Ｒ２２２Ｃの各々に表示する画像の情報、および、使用されるＰＣ生成画像（ＰＣ生成画像ＰＧ２００Ｂ）の情報等が含まれる。レイアウト番号“４”に対応するレイアウトデータには、図５（Ｂ）の画像Ｇ２００Ｄにおける、領域Ｒ２１０Ｄ，Ｒ２２０Ｄ，Ｒ２２２Ｄの各々のサイズの情報、領域Ｒ２１０Ｄ，Ｒ２２０Ｄ，Ｒ２２２Ｄの各々の座標の情報、領域Ｒ２１０Ｄ，Ｒ２２０Ｄ，Ｒ２２２Ｄの各々に表示する画像の情報、および、使用されるＰＣ生成画像（ＰＣ生成画像ＰＧ２００Ｂ）の情報等が含まれる。
【０１０４】
レイアウト状態表示画像ＳＧ１５０は、レイアウト番号設定画像ＳＧ１４０に表示されるレイアウト番号に対応するＰＣ生成画像を縮小した画像が表示される。レイアウト番号が“１”の場合、レイアウト状態表示画像ＳＧ１５０には、図６（Ａ）のＰＣ生成画像ＰＧ２００Ａの縮小画像が表示される。レイアウト番号が“２”の場合、レイアウト状態表示画像ＳＧ１５０には、図６（Ａ）のＰＣ生成画像ＰＧ２００Ａの縮小画像が表示される。レイアウト番号が“３”の場合、レイアウト状態表示画像ＳＧ１５０には、図６（Ｂ）のＰＣ生成画像ＰＧ２００Ｂの縮小画像が表示される。レイアウト番号が“４”の場合、レイアウト状態表示画像ＳＧ１５０には、図６（Ｂ）のＰＣ生成画像ＰＧ２００Ｂの縮小画像が表示される。
【０１０５】
なお、レイアウト状態表示画像ＳＧ１５０に対応するＰＣ生成画像内に表示される、メッセージ画像のサイズおよび座標、イメージ画像のサイズおよび座標は、インターフェース操作Ｐにより、任意に設定可能である。この場合、任意に設定された情報を示すレイアウトデータは、記憶部１４２に記憶される。また、この場合のレイアウト番号は“０”となる。
【０１０６】
詳細設定画像ＳＧ１００には、さらに、メッセージ設定画像ＳＧ１６０と、イメージ設定画像ＳＧ１６２と、音声ファイル設定画像ＳＧ１６４とが配置される。
【０１０７】
メッセージ設定画像ＳＧ１６０は、レイアウト番号に対応するＰＣ生成画像内のメッセージ画像に表示させる文字列が記載されたメッセージファイルが設定される。メッセージファイルの設定は、たとえば、インターフェース操作Ｐにより、使用するメッセージファイルを選択するためのウインドウ画像を表示部１８０に表示させて、メッセージファイルが選択されることにより行なわれる。当該選択されたメッセージファイルの名称は、メッセージ設定画像ＳＧ１６０に表示される。メッセージファイルは、記憶部１４２に記憶されているファイルである。なお、メッセージ設定画像ＳＧ１６０には、インターフェース操作Ｐにより、レイアウト番号に対応するＰＣ生成画像内のメッセージ画像に表示させる文字列が、直接記載されてもよい。
【０１０８】
イメージ設定画像ＳＧ１６２は、レイアウト番号に対応するＰＣ生成画像内のイメージ画像に表示させる画像のファイル（以下、イメージファイルともいう）が設定される。イメージファイルは、記憶部１４２に記憶されているファイルである。イメージ画像は、前述したように、静止画像または動画像である。イメージファイルの設定は、たとえば、インターフェース操作Ｐにより、使用するイメージファイルを選択するためのウインドウ画像を表示部１８０に表示させて、イメージファイルが選択されることにより行なわれる。当該選択されたイメージファイルの名称は、イメージ設定画像ＳＧ１６２に表示される。なお、レイアウト番号に対応するＰＣ生成画像内に、イメージ画像がない場合、上記設定は行なわれない。
【０１０９】
音声ファイル設定画像ＳＧ１６４は、レイアウト番号に基づいてＰＣ画像が配置されたインフォメーション合成画像を、表示部２８０に表示させるときに、音声出力部２７０から出力させる音声を再生するための音声ファイルが設定される。音声ファイルは、記憶部１４２に記憶されているファイルである。音声ファイルの設定は、たとえば、インターフェース操作Ｐにより、使用する音声ファイルを選択するためのウインドウ画像を表示部１８０に表示させて、音声ファイルが選択されることにより行なわれる。当該選択された音声ファイルの名称は、イメージ設定画像ＳＧ１６２に表示される。
【０１１０】
音声ファイルの音声データは、たとえば、ＭＩＤＩ（Musical Instrument Digital Interface）形式のデータ、ＷＡＶＥ形式のデータ、および、ＭＰ３（MPEG-1 Audio Layer-3）形式のデータのいずれの形式の音声データであってもよい。また、音声ファイルに基づいて再生される音声は、たとえば、レイアウト番号に対応するＰＣ生成画像内のメッセージ画像に設定されたメッセージファイルに記載された文字列を読み上げたものであってもよい。これにより、目の不自由な人も、メッセージ画像に表示される文字列の内容を認識することができる。
【０１１１】
また、音声ファイルに基づいて再生される音声は、たとえば、心を落ち着かせるような音楽であってもよい。なお、音声ファイルの設定は行なわれなくてもよい。この場合、制御部１２０が、レイアウト番号に対応するＰＣ生成画像内のメッセージ画像に設定されたメッセージファイルに記載された文字列を読み上げた音声を生成し、生成した音声が、音声出力部２７０から出力されてもよい。
【０１１２】
詳細設定画像ＳＧ１００には、さらに、チェックボックス画像Ｃ１７０，Ｃ１７２，Ｃ１７４とが配置される。チェックボックス画像Ｃ１７０は、フラグＡをオン状態にするか否かを設定するための画像である。フラグＡは、オンに設定されていると、映像表示装置２００が待機モードの場合、後述する処理により、映像表示装置２００の画像表示電源を自動的にオンするためのフラグである。フラグＡは、記憶部１４２に記憶される。
【０１１３】
チェックボックス画像Ｃ１７０内にチェックマークが表示されている場合は、フラグＡがオンに設定される。チェックボックス画像Ｃ１７０内にチェックマークが表示されていない場合は、フラグＡがオフに設定される。フラグＡのオンまたはオフの設定は、チェックボックス画像Ｃ１７０に対するインターフェース操作Ｐに基づいて、制御部１２０が行なう。
【０１１４】
チェックボックス画像Ｃ１７２は、フラグＢをオン状態にするか否かを設定するための画像である。フラグＢは、オンに設定されていると、後述する処理により、コンテンツの切れ目の期間に、インフォメーション合成画像を表示部２８０に表示させる処理を行なうためのフラグである。コンテンツの切れ目の期間とは、たとえば、１つの番組中においてＣＭ（commercial message）の映像が放送される期間である。また、コンテンツの切れ目の期間とは、たとえば、外部機器３００が再生している画像を、表示部２８０が表示している状態において、外部機器３００が再生している画像が、映画の本編の画像ではなく、たとえば、映画の予告編の画像である期間である。フラグＢは、記憶部１４２に記憶される。
【０１１５】
チェックボックス画像Ｃ１７２内にチェックマークが表示されている場合は、フラグＢがオンに設定される。チェックボックス画像Ｃ１７２内にチェックマークが表示されていない場合は、フラグＢがオフに設定される。フラグＢのオンまたはオフの設定は、チェックボックス画像Ｃ１７２に対するインターフェース操作Ｐに基づいて、制御部１２０が行なう。
【０１１６】
チェックボックス画像Ｃ１７４は、フラグＣをオン状態にするか否かを設定するための画像である。フラグＣは、オンに設定されていると、後述する処理により、インフォメーション合成画像を表示部２８０に表示させる処理が行なわれる前に、表示部２８０に表示されているＴＶ画像（コンテンツ）に対応する音声の音量を下げる処理を行なうためのフラグである。
【０１１７】
チェックボックス画像Ｃ１７４内にチェックマークが表示されている場合は、フラグＣがオンに設定される。チェックボックス画像Ｃ１７４内にチェックマークが表示されていない場合は、フラグＣがオフに設定される。フラグＣのオンまたはオフの設定は、チェックボックス画像Ｃ１７４に対するインターフェース操作Ｐに基づいて、制御部１２０が行なう。
【０１１８】
詳細設定画像ＳＧ１００には、さらに、ボタン画像ＳＧ１８０，ＳＧ１８２が配置される。ボタン画像ＳＧ１８０は、上記の表示設定処理により設定された表示設定データを、記憶部１４２に記憶させるための画像である。
【０１１９】
ボタン画像ＳＧ１８０に対して、インターフェース操作Ｐがあると、制御部１２０は、表示設定処理により設定された表示設定データを、データ番号に対応づけて記憶部１４２に記憶させる。なお、記憶部１４２に、記憶させようとしている表示設定データのデータ番号と同じデータ番号の表示設定データが記憶されている場合、制御部１２０は、最新の表示設定データを、既に記憶されている表示設定データに上書き記憶させる。
【０１２０】
そして、制御部１２０は、以下の設定データ一覧画像ＬＧ１００を、詳細設定画像ＳＧ１００の代わりに、表示部１８０に表示させる。
【０１２１】
図８は、一例としての設定データ一覧画像ＬＧ１００を示す図である。図８を参照して、設定データ一覧画像ＬＧ１００は、データ一覧画像ＬＧ１１０が配置される。データ一覧画像ＬＧ１１０は、表示設定処理により設定された表示設定データの一部を表示する画像である。なお、各項目の説明は、前述の図７の詳細設定画像ＳＧ１００の説明と同様なので詳細な説明は繰り返さない。
【０１２２】
再び、図７を参照して、ボタン画像ＳＧ１８２に対して、インターフェース操作Ｐがあると、制御部１２０は、表示設定処理により設定された表示設定データを、記憶部１４２に記憶させずに、設定データ一覧画像ＬＧ１００を、詳細設定画像ＳＧ１００の代わりに、表示部１８０に表示させる。
【０１２３】
再び、図８を参照して、設定データ一覧画像ＬＧ１００には、ボタン画像ＬＧ１８０，ＬＧ１８２が配置される。ボタン画像ＬＧ１８０は、新規に表示設定データを生成するための画像である。ボタン画像ＬＧ１８２は、表示設定処理を終了させるためのボタン画像である。ボタン画像ＬＧ１８２に対して、インターフェース操作Ｐがあると、制御部１２０は、設定データ一覧画像ＬＧ１００を、表示部１８０から消去させ、表示設定処理を終了させる。
【０１２４】
ボタン画像ＬＧ１８０に対して、インターフェース操作Ｐがあると、制御部１２０は、図７の詳細設定画像ＳＧ１００における、各項目が設定されていない詳細設定画像を表示部１８０に表示させる。表示部１８０に表示された詳細設定画像に対し、前述の図７の詳細設定画像ＳＧ１００の説明と同様な処理が行なわれることにより表示設定データが設定され、前述のボタン画像ＳＧ１８０に対し、インターフェース操作Ｐがあると、新規で生成された表示設定データが、記憶部１４２に記憶される。
【０１２５】
表示設定データを新規に生成する処理が繰り返されることにより、記憶部１４２には、以下の表示設定データテーブルＴ１００が記憶される。
【０１２６】
図９は、一例としての表示設定データテーブルＴ１００を示す図である。図９を参照して、表示設定データテーブルＴ１００は、複数の表示設定データから構成されるテーブルである。表示設定データテーブルＴ１００では、１つの行に、データ番号に対応する表示設定データが表示される。なお、各項目の説明は、前述の図７の詳細設定画像ＳＧ１００の説明と同様なので詳細な説明は繰り返さない。なお、表示設定データテーブルＴ１００に基づく、設定データ一覧画像は、以下の設定データ一覧画像ＬＧ１００Ａとなる。
【０１２７】
図１０は、一例としての設定データ一覧画像ＬＧ１００Ａを示す図である。図１０を参照して、設定データ一覧画像ＬＧ１００Ａは、図８の設定データ一覧画像ＬＧ１００と比較して、データ一覧画像ＬＧ１１０の代わりにデータ一覧画像ＬＧ１１０Ａが配置される点が異なる。それ以外は、データ一覧画像ＬＧ１１０と同様なので詳細な説明は繰り返さない。データ一覧画像ＬＧ１１０Ａは、表示設定データテーブルＴ１００における各表示設定データの一部が表示される。
【０１２８】
なお、データ一覧画像ＬＧ１１０Ａにおいて、各データ番号に対応する行に対し、インターフェース操作Ｐがあると、制御部１２０が、データ番号に対応する表示設定データを表示させた詳細設定画像を表示させる。これにより、データ番号に対応する表示設定データを変更することが可能となる。
【０１２９】
次に、表示設定データテーブルＴ１００の各表示設定データに基づいて行なわれる処理（以下、インフォメーション処理ともいう）について説明する。インフォメーション処理は、表示制御装置１００で行なわれる。インフォメーション処理は、プログラム７２に含まれるインフォメーションプログラムを実行させるためのインターフェース操作Ｐが行なわれ、制御部１２０が、プログラム７２に含まれるインフォメーションプログラムを実行することにより行なわれる。なお、インフォメーション処理は、表示制御装置１００の主電源がオンされてから、自動的に行なわれてもよい。なお、制御部１２０は、現在の時刻を管理するための時刻管理処理を常に行なっている。時刻管理処理は、他の処理とは独立して行なわれる。なお、映像表示装置２００は、通常モードおよび待機モードのいずれかのモードであるとする。
【０１３０】
図１１は、インフォメーション処理のフローチャートである。図１１を参照して、ステップＳ１１０では、現在の時刻が表示開始時刻であるか否かが判定される。具体的には、制御部１２０が、表示設定データテーブルＴ１００を構成する複数の表示設定データのうち、現在の日付と一致する日付が設定され、かつ、現在の時刻と一致する開始時刻が設定された表示設定データがあるか否かを判定する。なお、表示設定データに設定された日付が「毎日」の場合は、常に、表示設定データに設定された日付は、現在の日付と一致するとみなされる。また、表示設定データに設定された日付が、たとえば、「毎週火曜日」の場合、現在の曜日が火曜日であれば、表示設定データに設定された日付は、現在の日付と一致するとみなされる。
【０１３１】
以下においては、現在の日付と一致する日付が設定され、かつ、現在の時刻と一致する開始時刻が設定された表示設定データを、参照表示設定データともいう。ステップＳ１１０において、ＹＥＳならば、ステップＳ１２０に進む。一方、ステップＳ１１０において、ＮＯならば、再度、ステップＳ１１０の処理が行なわれる。
【０１３２】
ステップＳ１２０では、状態データ取得処理が行なわれる。状態データ取得処理では、制御部１２０が、制御インターフェース１９０を利用して、映像表示装置２００の状態を取得するための状態取得コマンドを送信する。映像表示装置２００において、制御部２２０は、制御インターフェース２９０を介して、状態取得コマンドを受信すると、映像表示装置２００の状態を示す状態データを、制御インターフェース２９０を利用して、表示制御装置１００へ送信する。状態データは、映像表示装置２００の各種状態を示すデータである。
【０１３３】
制御部１２０は、映像表示装置２００から状態データを受信することにより、映像表示装置２００の状態を知ることができる。その後、ステップＳ１３０に進む。
【０１３４】
ステップＳ１３０では、制御部１２０が、受信した状態データに基づいて、映像表示装置２００が待機モードであるか否かを判定する。ここで、状態データは、映像表示装置２００が通常モードおよび待機モードのいずれであるかを示すデータを含む。ステップＳ１３０において、ＹＥＳならば、ステップＳ１３２に進む。一方、ステップＳ１３０において、ＮＯならば、後述するステップＳ１４０に進む。
【０１３５】
ステップＳ１３２では、映像表示装置２００が待機モードの場合、画像表示電源を自動的にオンする設定がされているか否かが判定される。具体的には、制御部１２０が、前述の参照表示設定データが示すフラグＡの状態がオンであるか否かを判定する。ステップＳ１３２において、ＹＥＳならば、ステップＳ１３４に進む。一方、ステップＳ１３２において、ＮＯならば、再度、ステップＳ１１０の処理が行なわれる。
【０１３６】
ステップＳ１３４では、画像表示電源オン処理が行なわれる。画像表示電源オン処理では、制御部１２０が、制御インターフェース１９０を利用して、映像表示装置２００の画像表示電源をオンするための表示電源オンコマンドを、映像表示装置２００へ送信する。映像表示装置２００において、制御部２２０は、制御インターフェース２９０を介して、表示電源オンコマンドを受信すると、映像表示装置２００の画像表示電源をオンする。その後、ステップＳ１４０に進む。
【０１３７】
ステップＳ１４０では、制御部１２０が、受信した状態データに基づいて、ＴＶ画像が表示部２８０に表示されているか否かを判定する。ここで、状態データは、さらに、映像表示装置２００の表示部２８０において、ＴＶ画像が表示されているか否かを示すデータを含む。ステップＳ１４０において、ＹＥＳならば、ステップＳ１４２に進む。ステップＳ１４０において、ＮＯならば、後述するステップＳ１５０に進む。
【０１３８】
ステップＳ１４２では、前述のコンテンツの切れ目の期間に、インフォメーション合成画像を表示部２８０に表示させる設定がされているか否かが判定される。具体的には、制御部１２０が、前述の参照表示設定データが示すフラグＢの状態がオンであるか否かを判定する。ステップＳ１４２において、ＹＥＳならば、ステップＳ１４４に進む。一方、ステップＳ１４２において、ＮＯならば、後述するステップＳ１５０に進む。
【０１３９】
ステップＳ１４４では、コンテンツの切れ目の期間の判定処理が行なわれる。コンテンツの切れ目の期間の判定処理では、まず、制御部１２０が、前述のステップＳ１２０と同様に状態データ取得処理を行ない、映像表示装置２００の状態を示す状態データＡを受信する。状態データＡは、表示部２８０に表示されているＴＶ画像を示す情報を含む。そして、映像表示装置２００の表示部２８０に表示されているＴＶ画像によって、次に行なわれる処理が、以下のように異なる。
【０１４０】
状態データＡが、表示部２８０に表示されているＴＶ画像が、放送の途中でＣＭの映像が表示される１つの番組の画像であることを示す情報を含む場合、以下の処理Ａが行なわれる。この場合、コンテンツの切れ目の期間は、ＣＭの映像が表示される期間となる。ここで、ＴＶ画像としての１つの番組が表示される期間のうち、ＣＭの映像が表示される以外の期間の音声がモノラルで、ＣＭの映像に伴う音声がステレオであるとする。
【０１４１】
処理Ａでは、制御部１２０が、受信した状態データＡに基づいて、現在、表示部２８０に表示されているＴＶ画像がＣＭの映像であるか否かを判定する。この場合、状態データＡは、表示部２８０に表示されているＴＶ画像がＣＭの映像であるか否かを示すＣＭ判定データを含む。ＣＭ判定データは、ＴＶ画像としての１つの番組が表示される期間のうち、ＣＭの映像が表示される以外の期間の音声がモノラルで、ＣＭの映像に伴う音声がステレオの場合に、ＴＶ画像がＣＭの映像であるか否かを示すデータである。ＴＶ画像がＣＭの映像であると判定されると、制御部１２０は、現在が、コンテンツの切れ目の期間であると判定する。
【０１４２】
状態データＡが、表示部２８０に表示されているＴＶ画像が、放送の途中でＣＭの映像が表示される１つの番組の画像であることを示す情報を含む場合、以下の処理Ｂが行なわれてもよい。この場合、コンテンツの切れ目の期間は、ＣＭの映像が表示される期間となる。
【０１４３】
処理Ｂでは、制御部１２０が、受信した状態データＡに基づいて、現在、表示部２８０に表示されているＴＶ画像のチャンネルを判定する。この場合、状態データＡは、表示部２８０に表示されているＴＶ画像のチャンネルの情報を含む。なお、この場合、以下の処理で受信するＥＰＧ情報は、ＣＭの放送時間等の情報も含むものとする。
【０１４４】
そして、制御部１２０は、ネットワーク５０から、ＥＰＧ情報を受信し、表示部２８０に表示されているＴＶ画像のチャンネルに対応する、ＥＰＧ情報に基づいて、表示部２８０に表示されていたＴＶ画像がＣＭの映像であるか否かを判定する。ＴＶ画像がＣＭの映像であると判定されると、制御部１２０は、現在が、コンテンツの切れ目の期間であると判定する。
【０１４５】
状態データＡが、表示部２８０に表示されているＴＶ画像が、外部機器３００の再生画像であることを示す情報を含む場合、以下の処理Ｃが行なわれる。この場合、外部機器３００の再生画像は、一例として、ＤＶＤの再生画像であるとする。また、ＤＶＤの再生画像には、映画の本編の画像と、映画の予告編の画像とが含まれるとする。この場合、コンテンツの切れ目の期間は、映画の予告編の画像が表示される期間となる。
【０１４６】
処理Ｃでは、制御部１２０が、受信した状態データＡに基づいて、現在、表示部２８０に表示されているＴＶ画像が映画の予告編の画像であるか否かを判定する。この場合、状態データは、表示部２８０に表示されているＴＶ画像が映画の予告編の画像であるか否かを示す予告編判定データを含む。ＴＶ画像が映画の予告編の画像であると判定されると、制御部１２０は、現在が、コンテンツの切れ目の期間であると判定する。その後、ステップＳ１４６に進む。
【０１４７】
ステップＳ１４６では、制御部１２０が、ステップＳ１４４での判定に基づき、現在が、コンテンツの切れ目の期間であるか否かを判定する。ステップＳ１４６において、ＹＥＳならば、ステップＳ１５０に進む。一方、ステップＳ１４６において、ＮＯならば、再度、ステップＳ１４４の処理が行なわれる。
【０１４８】
ステップＳ１５０では、インフォメーション合成画像を表示部２８０に表示させる処理が行なわれる前に、表示部２８０に表示されているＴＶ画像（コンテンツ）に対応する音声の音量を下げる設定がされているか否かが判定される。具体的には、制御部１２０が、前述の参照表示設定データが示すフラグＣの状態がオンであるか否かを判定する。ステップＳ１５０において、ＹＥＳならば、ステップＳ１５２に進む。一方、ステップＳ１５０において、ＮＯならば、後述するステップＳ１６０に進む。
【０１４９】
ステップＳ１５２では、音量低下処理が行なわれる。音量低下処理では、制御部１２０が、制御インターフェース１９０を利用して、映像表示装置２００の表示部２８０に表示されているＴＶ画像（コンテンツ）に対応する音声の音量を下げるための音量低下コマンドを、映像表示装置２００へ送信する。映像表示装置２００において、制御部２２０は、制御インターフェース２９０を介して、音量低下コマンドを受信すると、表示部２８０に表示されているＴＶ画像（コンテンツ）に対応する音声の音量を低下させる。なお、制御部２２０は、音量低下コマンドを受信すると、表示部２８０に表示されているＴＶ画像に対応する音声の音量を“０”にしてもよい。その後、ステップＳ１６０に進む。
【０１５０】
ステップＳ１６０では、インフォメーション表示処理が行なわれる。インフォメーション表示処理では、制御部１２０が、前述の参照表示設定データにより特定される、レイアウト番号、メッセージファイルおよびイメージファイルを使用してＰＣ生成画像を生成する。
【０１５１】
ここで、一例として、レイアウト番号が“４”である場合に、制御部１２０により生成されるＰＣ生成画像について説明する。なお、上記メッセージファイルに記載される文字列は、たとえば、「まもなく食事の時間です。」という文字列であるとする。この場合、制御部１２０は、レイアウト番号“４”に対応するレイアウトデータを使用して、図６のＰＣ生成画像ＰＧ２００Ｂを生成する。ＰＣ生成画像ＰＧ２００Ａ内の斜線部分は、前述したように透明色が設定される部分である。本実施の形態では、透明色には、たとえば、黒が設定されているものとする。
【０１５２】
ＰＣ生成画像ＰＧ２００Ｂ内のメッセージ画像ＰＧ２２０Ａは、上記メッセージファイルに基づく画像である。すなわち、「まもなく食事の時間です。」という文字列が表示された画像である。すなわち、メッセージ画像は、ユーザが、知らせたいメッセージまたは情報、動画像等が表示される画像である。なお、当該文字列が、図５の領域Ｒ２２０Ｄの横のサイズに収まらない場合、メッセージ画像ＰＧ２２０Ａは、上記の文字列をスクロール表示させる動画像となる。
【０１５３】
また、ＰＣ生成画像ＰＧ２００Ｂ内のイメージ画像ＰＧ２２０Ｂは、上記イメージファイルに基づく画像である。以上により、制御部１２０により生成されたＰＣ生成画像がインフォメーション画像である。
【０１５４】
そして、制御部１２０は、制御インターフェース１９０を利用して、レイアウト番号“４”に対応するレイアウトデータに基づく、領域Ｒ２１０Ｄのサイズの情報、領域Ｒ２１０Ｄの座標の情報、領域Ｒ２１０Ｄに表示する画像の情報を、映像表示装置２００へ送信する。また、制御部１２０は、ビデオインターフェース１３０を利用して、生成したインフォメーション画像のデータを、映像表示装置２００へ送信する。インフォメーション画像には、上記のメッセージ画像が配置される。
【０１５５】
また、制御部１２０は、制御インターフェース１９０を利用して、ＰＣ生成画像としてのインフォメーション画像と、コンテンツとしてのＴＶ画像とを、映像表示装置２００に合成させるための合成コマンドを、映像表示装置２００へ送信する。
【０１５６】
映像表示装置２００において、制御部２２０は、制御インターフェース２９０を介して、受信した、合成コマンド、各種情報および各種データに基づいて、画像Ｇ２００Ｄを生成する。すなわち、画像Ｇ２００Ｄは、ＰＣ生成画像としてのインフォメーション画像と、コンテンツとしてのＴＶ画像とを合成したインフォメーション合成画像である。したがって、メッセージ画像が配置されるインフォメーション合成画像には、コンテンツとしてのＴＶ画像と共に、ユーザが、知らせたいメッセージまたは情報、動画像等が表示される。
【０１５７】
また、制御部１２０は、前述の参照表示設定データにより特定される、音声ファイルを再生した音声データを、音声インターフェース１３５を利用して、映像表示装置２００へ送信する。映像表示装置２００において、制御部２２０は、制御インターフェース２９０を介して、受信した音声データに基づく音声を、音声出力部２７０から出力させる。そして、同時に、生成したインフォメーション合成画像を、表示部２８０に表示させる。
【０１５８】
なお、この場合、生成されたインフォメーション合成画像は、画像Ｇ２００Ｄである。画像Ｇ２００Ｄは、前述したように、横１３６６（ドット）、縦７６８（ドット）のサイズのＴＶ画像を縮小した画像が配置される画像であるので、表示部２８０にインフォメーション合成画像が表示される前のコンテンツとしてのＴＶ画像が縮小された画像が、表示部２８０に表示されることになる。この場合、制御部１２０は、表示部２８０に表示されるコンテンツとしてのＴＶ画像の表示サイズを変化させる処理を行なうことになる。
【０１５９】
以下においては、映像表示装置２００が、インフォメーション合成画像を表示部２８０に表示させる処理を、インフォメーション合成画像表示処理ともいう。
【０１６０】
そして、制御部１２０は、前述の参照表示設定データにより特定される、終了時刻になると、制御インターフェース１９０を利用して、映像表示装置２００にインフォメーション合成画像表示処理を終了させるための停止コマンドを、映像表示装置２００へ送信する。なお、前述の参照表示設定データにより特定される、終了時刻が設定されていない場合、インフォメーション合成画像表示処理を終了させるためのインターフェース操作Ｐがあると、制御部１２０は、停止コマンドを、映像表示装置２００へ送信する。すなわち、上記インターフェース操作Ｐがあるまで、停止コマンドを、映像表示装置２００へ送信しない。
【０１６１】
映像表示装置２００において、制御部２２０は、制御インターフェース２９０を介して、停止コマンドを受信すると、インフォメーション合成画像表示処理を終了する。そして、制御部２２０は、インフォメーション合成画像表示処理が行なう前に、表示部２８０に表示していたＴＶ画像を、表示部２８０に表示させる。以上により、このインフォメーション処理は終了する。
【０１６２】
なお、上記のステップＳ１６０の処理では、前述の参照表示設定データにより特定される、レイアウト番号が“４”である場合について説明した。しかしながら、参照表示設定データにより特定される、レイアウト番号が“１”，“２”，“３”のいずれの場合も、ステップＳ１６０において、レイアウト番号が“４”である場合と同様な処理が行なわれることで、インフォメーション合成画像が、表示部２８０に表示される。
【０１６３】
図１２は、表示制御装置１００において、インフォメーション表示処理が行なわれている間に、映像表示装置２００で行なわれる処理のフローチャートを示す図である。図１２を参照して、ステップＳ２１０では、前述したインフォメーション合成画像表示処理が行なわれる。
【０１６４】
映像表示装置２００は、インフォメーション合成画像表示処理を開始すると、停止コマンドを受信したか否かを判定する処理を、インフォメーション合成画像表示処理とは独立して行なう。前述したように、制御部２２０は、制御インターフェース２９０を介して、停止コマンドを受信すると、インフォメーション合成画像表示処理を終了する。
【０１６５】
以上説明したように、本実施の形態においては、ユーザが設定した日時に、ＰＣ画像とＴＶ画像とが所定のレイアウトで配置された、ＰＣ生成画像としてのインフォメーション合成画像を、自動的に、表示部２８０に表示させる処理を行なう。インフォメーション合成画像には、ユーザが知らせたいメッセージや動画像等が表示される。
【０１６６】
したがって、余計な手間を生じさせることなく、ユーザの所望の時刻に、ユーザの知らせたいメッセージまたは情報、動画像を、表示部２８０に表示させることができる。その結果、余計な手間を生じさせることなく、所望の時刻に、表示部２８０に表示される情報の表示制御をすることができるという効果を奏する。
【０１６７】
また、余計な手間を生じさせることなく、所望の時刻に、所望の情報を報知することができるという効果を奏する。
【０１６８】
また、本実施の形態では、インフォメーション合成画像が表示される前に表示部２８０に表示されていたＴＶ画像（コンテンツ）に対応する音声の音量を下げる処理が行なわれる。したがって、インフォメーション合成画像の表示とともに、出力される音声が聞き取りやすくなるという効果を奏する。
【０１６９】
また、本実施の形態では、表示部２８０には、コンテンツとしてのＴＶ画像と共に、ユーザが、知らせたいメッセージまたは情報、動画像等が表示される。したがって、ＴＶ画像の視聴も妨げられることがないという効果を奏する。
【０１７０】
また、本実施の形態では、映像表示装置２００が待機モードであっても、画像表示電源を自動的にオンにし、映像表示装置２００が画像を表示可能な状態にする。したがって、たとえば、老人ホームなどで、映像表示装置２００を待機モードにして、ユーザが他の作業(読書など)を行っていた場合でも、ユーザに確実に情報を伝達できるという効果を奏する。
【０１７１】
また、本実施の形態では、コンテンツの切れ目の期間に、インフォメーション合成画像を表示する処理を行なう。したがって、コンテンツの視聴をできるだけ妨げないようにすることができるという効果を奏する。
【０１７２】
＜第１の実施の形態の変形例１＞
第１の実施の形態では、１台の表示制御装置１００と、１台の映像表示装置２００とから構成される映像システム１０００を示した。本実施の形態では、第１の実施の形態と異なる映像システムの構成を示す。
【０１７３】
図１３は、本実施の形態における映像システム１０００Ａの構成を示すブロック図である。図１３を参照して、映像システム１０００Ａは、表示制御装置１００Ａと、映像表示装置２００．１，２００．１，・・・，２００．Ｎとから構成される。本実施の形態における表示制御装置１００Ａの構成は、第１の実施の形態の表示制御装置１００と同様なので詳細な説明は繰り返さない。
【０１７４】
表示制御装置１００Ａは、映像表示装置２００．１，２００．２，・・・，２００．Ｎと接続される。映像表示装置２００．１，２００．２，・・・，２００．Ｎの各々の構成は、第１の実施の形態の映像表示装置２００と同様なので詳細な説明は繰り返さない。なお、表示制御装置１００Ａと、映像表示装置２００．１，２００．２，・・・，２００．Ｎの各々との接続は、第１の実施の形態における、表示制御装置１００と、映像表示装置２００との接続と同様なので詳細な説明は繰り返さない。
【０１７５】
映像システム１０００Ａにおける表示制御装置１００Ａでは、モニタ番号１，２，・・・，Ｎ毎に、制御部１２０が実行する制御プログラムが記憶部１４２に記憶される。すなわち、記憶部１４２には、モニタ番号１，２，・・・，Ｎにそれぞれ対応する複数のプログラムを含むプログラム７２が記憶される。本実施の形態では、記憶部１４２に記憶される表示設定データテーブルは、以下の表示設定データテーブルＴ１００Ａとなる。
【０１７６】
図１４は、一例としての表示設定データテーブルＴ１００Ａを示す図である。図１４を参照して、表示設定データテーブルＴ１００Ａは、図９の表示設定データテーブルＴ１００と比較して、異なるモニタ番号毎に表示設定データを対応付けて管理されたテーブルである点が異なる。それ以外は、表示設定データテーブルＴ１００と同様なので詳細な説明は繰り返さない。たとえば、データ番号“２”の表示設定データは、モニタ番号３の映像表示装置を制御するのに使用される。なお、モニタ番号が「ＡＬＬ」になっている場合、表示設定データは、表示制御装置１００Ａに接続される全ての映像表示装置を制御するのに使用される。
【０１７７】
たとえば、表示制御装置１００Ａと、映像表示装置２００．１との間では、表示設定データテーブルＴ１００Ａのデータ番号１に対応する表示設定データを使用して、第１の実施の形態で説明したインフォメーション処理、インフォメーション合成画像表示処理等が行なわれたとする。また、表示制御装置１００Ａと、映像表示装置２００．３との間では、表示設定データテーブルＴ１００Ａのデータ番号２に対応する表示設定データを使用して、第１の実施の形態で説明したインフォメーション処理、インフォメーション合成画像表示処理等が行なわれたとする。
【０１７８】
上記処理により、映像表示装置毎に異なる情報が表示されたインフォメーション合成画像が表示され、映像表示装置毎に異なる時刻にインフォメーション合成画像が表示される。すなわち、複数の映像表示装置を制御する表示制御装置１００Ａの制御部１２０は、プログラム７２の実行により、各々が異なる複数の情報をそれぞれ表示する複数の情報画像を、それぞれ、複数の映像表示装置に表示させる処理を行なう。また、表示設定データテーブルＴ１００Ａにおいて、データ番号“４”以外の、各データ番号に対応する表示設定データが示すインフォメーション合成画像を表示させる時間は、モニタ番号毎に設定されているため、複数の映像表示装置の各々に、対応する情報画像を表示させる時間は、複数の映像表示装置の各々毎に設定された時間となる。
【０１７９】
なお、表示制御装置１００Ａが、表示設定データテーブルＴ１００Ａにおいて、モニタ番号が「ＡＬＬ」になっている表示設定データを使用して、第１の実施の形態で説明したインフォメーション処理を行ない、映像表示装置２００．１，２００．２，・・・，２００．Ｎの各々で、インフォメーション合成画像表示処理等が行なわれたとする。これにより、表示制御装置１００Ａは、同時に、複数の映像表示装置の各々でインフォメーション合成画像を表示させることができる。
【０１８０】
したがって、本実施の形態における映像システム１０００Ａは、第１の実施の形態で奏する効果に加えて、１台の表示制御装置で複数の映像表示装置を制御できる。また、本実施の形態における映像システム１０００Ａは、映像表示装置毎に異なる情報が表示されたインフォメーション合成画像が表示され、映像表示装置毎に異なる時刻にインフォメーション合成画像が表示される。これにより、映像表示装置毎に、異なる情報を報知することができるという効果を奏する。
【０１８１】
また、複数の映像表示装置を別々に管理および制御することにより、たとえば、老人ホームなどで、薬を飲むことを促すメッセージを流すような場合に、個人毎に違った時間帯にメッセージを流すことができる。
【０１８２】
また、表示制御装置１００Ａは、同時に、複数の映像表示装置の各々でインフォメーション合成画像を表示させる処理も行なう。これにより、複数の映像表示装置に、同時に、同じ情報を報知することができるという効果を奏する。
【０１８３】
＜第１の実施の形態の変形例２＞
図１５は、本実施の形態における映像システム１０００Ｂの構成を示すブロック図である。図１５を参照して、本実施の形態における映像システム１０００Ｂは、図１３の映像システム１０００Ａと比較して、表示制御装置１００Ａの代わりに表示制御装置１００Ｂが使用される点が異なる。それ以外は、映像システム１０００Ａと同様であるので詳細な説明は繰り返さない。
【０１８４】
表示制御装置１００Ｂは、映像表示装置２００．１，２００．１，・・・，２００．Ｎと接続される。表示制御装置１００Ｂと、映像表示装置２００．１，２００．１，・・・，２００．Ｎの各々との接続は、第１の実施の形態における、表示制御装置１００と、映像表示装置２００との接続と同様なので詳細な説明は繰り返さない。
【０１８５】
映像システム１０００Ｂにおける表示制御装置１００Ｂでは、映像表示装置２００．１，２００．１，・・・，２００．Ｎを制御するための１つの制御プログラムを含むプログラム７２が、記憶部１４２に記憶される。この場合、記憶部１４２に記憶される表示設定データテーブルは、たとえば、図１４の表示設定データテーブルＴ１００Ａとなる。
【０１８６】
なお、本実施の形態において行なわれる処理は、第１の実施の形態の変形例１において、映像システム１０００Ａおよび表示制御装置１００Ａを、それぞれ、映像システム１０００Ｂおよび表示制御装置１００Ｂと置き換えた処理と同様であるので詳細な説明は繰り返さない。
【０１８７】
したがって、本実施の形態における映像システム１０００Ｂは、第１の実施の形態および第１の実施の形態の変形例１で奏する効果に加えて、プログラムのサイズを削減でき、記憶部１４２の記憶領域の無駄な消費を防ぐことができるという効果を奏する。
【０１８８】
次に、本発明における映像システムの活用方法について述べる。本発明における映像システムは、たとえば、老人ホームに設置してもよい。これにより、普段は、映像表示装置においてテレビ放送を表示し、食事の時間の前になると、「まもなく食事の時間です。」という文字列を映像表示装置に表示させる。また、同時に、「まもなく食事の時間です。」という音声も、音声出力部２７０から出力させる。これにより、目の不自由な人も、メッセージ画像に表示される文字列の内容を認識することができる。
【０１８９】
本発明における映像システムは、たとえば、スーパーの食料品売り場に設置してもよい。これにより、顧客のニーズに応じた特売品のアナウンスを時間帯毎に切替えたりすることができる。
【０１９０】
また、本発明における映像システムは、たとえば、飛行機の乗客室に設置してもよい。そして、普段は、映画等を上映し、所定の時間になったら、画面構成を変更して、ニュースの映像を流したりしてもよい。
【０１９１】
また、本発明における映像システム１０００は、たとえば、喫茶店、公共施設、ホテル、病院等に設置してもよい。
【０１９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９３】
【図１】本実施の形態における映像システムの構成を示すブロック図である。
【図２】本実施の形態における表示部に表示される画像を説明するための図である。
【図３】本実施の形態における表示部に表示される画像の一例を示す図である。
【図４】本実施の形態における表示部に表示される画像の一例を示す図である。
【図５】本実施の形態における表示部に表示される画像の一例を示す図である。
【図６】制御部により生成されるＰＣ生成画像の一例を示す図である。
【図７】一例としての詳細設定画像を示す図である。
【図８】一例としての設定データ一覧画像を示す図である。
【図９】一例としての表示設定データテーブルを示す図である。
【図１０】一例としての設定データ一覧画像を示す図である。
【図１１】インフォメーション処理のフローチャートである。
【図１２】表示制御装置において、インフォメーション表示処理が行なわれている間に、映像表示装置で行なわれる処理のフローチャートを示す図である。
【図１３】本実施の形態における映像システムの構成を示すブロック図である。
【図１４】一例としての表示設定データテーブルを示す図である。
【図１５】本実施の形態における映像システムの構成を示すブロック図である。
【符号の説明】
【０１９４】
７０  記録媒体、７２  プログラム、１００，１００Ａ，１００Ｂ  表示制御装置、１２０，２２０  制御部、１４２，２４２  記憶部、２００，２００．１，２００．２，・・・，２００．Ｎ  映像表示装置、２８０  表示部、１０００，１０００Ａ，１０００Ｂ  映像システム。
【図１】
2007248862.tif 000003
【図２】
2007248862.tif 000004
【図３】
2007248862.tif 000005
【図４】
2007248862.tif 000006
【図５】
2007248862.tif 000007
【図６】
2007248862.tif 000008
【図７】
2007248862.tif 000009
【図８】
2007248862.tif 000010
【図９】
2007248862.tif 000011
【図１０】
2007248862.tif 000012
【図１１】
2007248862.tif 000013
【図１２】
2007248862.tif 000014
【図１３】
2007248862.tif 000015
【図１４】
2007248862.tif 000016
【図１５】
2007248862.tif 000017